(57)【要約】【課題】前段に複数の受信信号がある時に、それぞれの間の利得又は感度差がある場合に対応することができる受信装置を提供すること。【解決手段】本発明の受信装置は、受信信号を受信して増幅するゲインコントロールアンプ１０１−１、１０２−１をそれぞれ有する第１及び第２の受信ブロック１０１、１０２と、第１及び第２の受信ブロック１０１、１０２の出力信号の強度を検出して比較して強度が大きい前記出力信号の方の第１又は第２の受信ブロック１０１、１０２を選択するＬ−Ｒ選択制御器１０５と、Ｌ−Ｒ選択制御器１０５により選択された第１又は第２の受信ブロック１０１、１０２の前記出力信号に基づいてゲインコントロールアンプ１０１−１、１０２−１の増幅率を制御する増幅率制御手段とを具備する。【選択図】　　　図１
2004007096.tif 000002
【特許請求の範囲】
【請求項１】
受信信号を受信して増幅するゲインコントロールアンプをそれぞれ有する第１及び第２の受信ブロックと、前記第１及び第２の受信ブロックの出力信号の強度を検出して比較して強度が大きい前記出力信号の方の前記第１又は第２の受信ブロックを選択する選択制御手段と、前記選択制御手段により選択された前記第１又は第２の受信ブロックの前記出力信号に基づいて前記ゲインコントロールアンプの増幅率を制御する増幅率制御手段とを具備することを特徴とする受信装置。
【請求項２】
前記第１及び第２の受信ブロックの各々は、前記受信信号を受ける前記ゲインコントロールアンプと、前記ゲインコントロールアンプからの出力信号のパワーを検出して検出パワー信号を生成する信号パワー検出器と、前記信号パワー検出器からの前記検出パワー信号を一定区間平均する区間平均器と、前記区間平均器からの出力信号を前記ゲインコントロールアンプで増幅した分を割り戻すことによる正規化を行って増幅前の前記受信信号のパワーに相関を持つ正規化後信号とする増幅正規化器と、前記増幅正規化器からの前記正規化後信号を平均化して平均正規化後信号を生成するスロット間信号平均器と、前記スロット間信号平均器からの平均正規化後信号に前記ゲインコントロールアンプで増幅した分を乗算することにより前記区間平均器の前記出力信号のパワーレベルに相関を持つ正規化前信号を生成する増幅みあい分乗算器とを有することを特徴とする請求項１記載の受信装置。
【請求項３】
前記増幅率制御手段は、前記選択制御手段により選択された前記第１又は第２の受信ブロックの前記出力信号及び前記選択制御手段により選択された前記増幅正規化器の前記正規化後信号に基づいて前記ゲインコントロールアンプの増幅率を制御する手段を具備することを特徴とする請求項２記載の受信装置。
【請求項４】
前記増幅率制御手段は、第１及び第２の増幅率制御装置を有し、
前記第１の増幅率制御装置は、前記選択制御手段からの選択切替信号に基づいて前記第１の受信ブロック又は前記第２の受信ブロックのいずれかの出力信号を選択して出力する第１の信号セレクタと、前記第１の信号セレクタからの出力信号をｄＢ変換する第１のｄＢ変換器と、適性レンジＡＤリファレンス信号から前記第１のｄＢ変換器の出力信号を減算して適正値差分を生成する第１の減算器と、前記第１の減算器からの適正値差分に制御係数を乗じる第１の制御係数乗算器と、前記ゲインコントロールアンプを制御するための電圧値に前記第１の制御係数乗算器からの出力信号を変化させる第１のＧ−ＶＣ変換器と、前記第１のＧ−ＶＣ変換器からの前記電圧値を遅延バッファに貯えられている１動作周期前の値と加算する誤差加算器と、を有し、
前記第２の増幅率制御装置は、前記選択制御手段からの選択切替信号に基づいて前記第１の受信ブロックの前記増幅正規化器又は前記第２の受信ブロックの前記増幅正規化器のいずれかの出力信号を選択して出力する第２の信号セレクタと、前記第２の信号セレクタからの出力信号をｄＢ変換する第２のｄＢ変換器と、適性レンジＡＤリファレンス信号から前記第２のｄＢ変換器の出力信号を減算してフィードフォーワード適正値差分を生成する第２の減算器と、前記第２の減算器からの前記フィードフォーワード適正値差分に制御係数を乗じる第２の制御係数乗算器と、前記ゲインコントロールアンプを制御するための電圧値に前記第２の制御係数乗算器からの出力信号を変化させる第２のＧ−ＶＣ変換器と、前記誤差加算器からの出力信号に前記第２のＧ−ＶＣ変換器からの前記電圧値を加算するフィードフォーワード加算器と、前記フィードフォーワード加算器の出力信号に補正値を加算して補正信号を生成する補正値加算器と、前記フィードフォーワード加算器の前記出力信号及び前記補正値加算器からの前記補正信号に基づいて制御電圧を生成して前記ゲインコントロールアンプに与えるＤＡ変換器と、を有することを特徴とする請求項３記載の受信装置。
【請求項５】
前記第２の減算器の出力端子と前記第２の制御係数乗算器の入力端子との間に接続されているクリッパを有することを特徴とする請求項４記載の受信装置。
【請求項６】
前記第１の減算器の出力端子と前記第２の制御係数乗算器の入力端子との間に接続され、前記第１の制御計数乗算器への入力信号に基づいて制御係数を前記第２の制御係数乗算器に与える閾値制御器を有することを特徴とする請求項５記載の受信装置。
【請求項７】
前記選択制御手段の出力端子と前記第２の制御係数乗算器の入力端子との間に接続され、前記選択制御手段からの前記選択切替信号に基づいて制御係数を前記第２の制御係数乗算器に与える切替制御器を有することを特徴とする請求項５記載の受信装置。
【請求項８】
前記第１の減算器及び前記クリッパの出力端子と前記第２の制御係数乗算器の入力端子との間に接続され、前記第１の制御係数乗算器と前記第２の制御係数乗算器との入力信号の差に基づいて制御係数を前記第２の制御係数乗算器に与える差分値制御器を有することを特徴とする請求項５記載の受信装置。
【請求項９】
前記選択制御手段及び前記第１の減算器の出力端子と前記第２の制御係数乗算器の入力端子との間に接続され、前記選択制御手段からの前記選択切替信号及び前記第１の制御係数乗算器への入力信号に基づいて制御係数を前記第２の制御係数乗算器に与える切替閾値制御器を有することを請求項５記載の受信装置。
【請求項１０】
前記選択制御手段と前記第１の減算器と前記クリッパの出力端子と前記第２の制御係数乗算器の入力端子との間に接続され、前記選択制御手段からの前記選択切替信号及び前記第１の制御係数乗算器と前記第２の制御係数乗算器との入力信号の差に基づいて制御係数を前記第２の制御係数乗算器に与える切替差分値制御器を有することを特徴とする請求項５記載の受信装置。
【請求項１１】
前記第１の受信ブロックと前記第２の受信ブロック及び前記選択制御手段の入力端子に接続されているアンテナ選択固定制御器と、前記アンテナ選択固定制御器の入力端子に接続されているアンテナ選択固定要求ラッチ装置と、を有し、前記アンテナ選択固定制御器は、前記アンテナ選択固定要求ラッチ装置の要求に基づいて前記第１の受信ブロック又は前記第２の受信ブロックの１つを選択して動作させることを特徴とする請求項１０記載の受信装置。
【請求項１２】
前記第１の受信ブロックと前記第２の受信ブロックと前記選択制御手段の入力端子に接続されているアンテナ選択制御器と、前記アンテナ選択制御器の入力端子に接続されているアンテナ選択固定要求ラッチ装置と、前記第１の受信ブロックと前記第２の受信ブロックと前記アンテナ選択制御器とに接続されている受信レベル判定器とを有し、前記アンテナ選択制御器は、前記アンテナ選択固定要求ラッチ装置の要求及び前記受信レベル判定器の判定結果に基づいて前記第１の受信ブロック又は前記第２の受信ブロックの１つを選択して動作させることを特徴とする請求項１０記載の受信装置。
【請求項１３】
前記アンテナ選択制御器に接続されているアンテナ選択要求タイマを有し、前記アンテナ選択制御器は、前記アンテナ選択固定要求ラッチ装置の要求、前記受信レベル判定器の判定結果及び前記アンテナ選択要求タイマの要求に基づいて前記第１の受信ブロック又は前記第２の受信ブロックの１つを選択して動作させることを特徴とする請求項１２記載の受信装置。
【請求項１４】
受信信号を受ける前記ゲインコントロールアンプと、前記ゲインコントロールアンプからの出力信号のパワーを検出して検出パワー信号を生成する信号パワー検出器と、前記信号パワー検出器からの前記検出パワー信号を一定区間平均する区間平均器と、前記区間平均器からの出力信号を前記ゲインコントロールアンプで増幅した分を割り戻すことによる正規化を行って増幅前の前記受信信号のパワーに相関を持つ正規化後信号とする増幅正規化器と、前記増幅正規化器からの正規化後信号を平均化して平均正規化後信号を生成するスロット間信号平均器と、前記スロット間信号平均器からの前記平均正規化後信号に前記ゲインコントロールアンプで増幅した分を乗算することにより前記区間平均器の前記出力信号のパワーレベルに相関を持つ正規化前信号を生成する増幅みあい分乗算器と、前記増幅みあい分乗算器の前記正規化前信号及び前記増幅正規化器の前記正規化後信号に基づいて前記ゲインコントロールアンプの増幅率を制御する増幅率制御手段とを具備することを特徴とする受信装置。
【発明の詳細な説明】
【０００１】
【発明の属する技術分野】
本発明は、ディジタル通信用の受信信号を受信する受信装置に関する。
【０００２】
【従来の技術】
従来の受信装置として図１４に示すものがある。図１４に示すように、従来の受信装置１４００は、ゲインコントロールアンプ１４０１、受信パワー検出器１４０２、区間平均器１４０３、正規化用ゲイン分数算出器１４０４、ゲイン算出器１４０５、増幅正規化器１４０６、スロット間信号平均器１４０７、増幅みあい分乗算器１４０８、ｄＢ変換器１４０９、減算器１４１０、適性レンジＡＤリファレンス発生器１４１１、制御係数乗算器１４１２、Ｇ−ＶＣ変換器１４１３、誤差加算器１４１４、遅延バッファ１４１５及びＤＡ変換器１４１６を具備している。
【０００３】
ゲインコントロールアンプ１４０１は、受信した受信信号を増幅して受信パワー検出器１４０２に与える。受信パワー検出器１４０２は、受信信号のパワーを検出して検出パワー信号を生成する。受信パワー検出器１４０２は、一般的な直交検波器を有するものである。
【０００４】
区間平均器１４０３は、受信パワー検出器１４０２からの検出パワー信号を一定時間平均した後に増幅正規化器１４０６に与える。増幅正規化器１４０６は、ゲインコントロールアンプ１４０１で増幅した分を割り戻すことによる正規化を行って増幅前の受信信号のパワーに相関を持つ正規化後信号とする。
【０００５】
スロット間信号平均器１４０７は、増幅正規化器１４０６からの正規化後信号を平均化して平均正規化後信号を生成して増幅みあい分乗算器１４０８に与える。増幅みあい分乗算器１４０８は、スロット間信号平均器１４０７からの平均正規化後信号にゲインコントロールアンプ１４０１で増幅した分を乗算することにより、区間平均器１４０３の出力信号パワーレベルに相関を持つ正規化前信号とする。
【０００６】
ｄＢ変換器１４０９は、増幅みあい分乗算器１４０８からの正規化前信号をｄＢ変換する。減算器１４１０は、適性レンジＡＤリファレンス発生器１４１１からの適性レンジＡＤリファレンス信号からｄＢ変換器１４０９の正規化前信号を減算して適正値差分ｄＢを生成する。
【０００７】
制御係数乗算器１４１２は、減算器１４１０からの適正値差分ｄＢに制御係数Ｋ１を乗じてＧ−ＶＣ変換器１４１３に与える。Ｇ−ＶＣ変換器１４１３は、ゲインコントロールアンプ１４０１を制御するための電圧値に制御係数乗算器１４１２の出力信号を変化させて誤差加算器１４１４に与える。誤差加算器１４１４は、Ｇ−ＶＣ変換器１４１３からの電圧値を遅延バッファ１４１５に貯えられている１動作周期前の値と加算する。
【０００８】
誤差加算器１４１４の出力は、次の動作周期のために遅延バッファ１４１５に貯えられる。また、誤差加算器１４１４の出力は、正規化用ゲイン分数算出器１４０４に与えられ、増幅正規化器１４０６のための増幅した分の割り戻す値が算出される。また、誤差加算器１４１４の出力は、ゲイン算出器１４０５に与えられ、増分みあい分乗算器１４０８のための増幅分の値が算出される。さらに、誤差加算器１４１４の出力は、ＤＡ変換器１４１６に与えられる。ＤＡ変換器１４１６は、誤差加算器１４１４の出力に基づいてゲインコントロールアンプ１４０１のための制御電圧が生成されて受信信号の増幅値が決定される。
【０００９】
【発明が解決しようとする課題】
しかしながら、従来の受信装置においては、前段に複数の受信信号があり、それぞれの受信信号に利得又は感度差がある場合に対応することができないという問題がある。また、従来の受信装置においては、複数の動作時間単位にわたって平均化を施した信号により振幅制御を行う必要があるから、受信信号の強度変化に対する追従速度が遅いという問題がある。
【００１０】
本発明は、かかる点に鑑みてなされたものであり、前段に複数の受信信号がある時に、それぞれの間の利得又は感度差がある場合に対応することができる受信装置を提供することを目的とする。
【００１１】
また、本発明は、受信信号の強度変化に対する追従速度を増大することができる受信装置を提供することを目的とする。
【００１２】
【課題を解決するための手段】
本発明の受信装置は、受信信号を受信して増幅するゲインコントロールアンプをそれぞれ有する第１及び第２の受信ブロックと、前記第１及び第２の受信ブロックの出力信号の強度を検出して比較して強度が大きい前記出力信号の方の前記第１又は第２の受信ブロックを選択する選択制御手段と、前記選択制御手段により選択された前記第１又は第２の受信ブロックの前記出力信号に基づいて前記ゲインコントロールアンプの増幅率を制御する増幅率制御手段とを具備する構成を採る。
【００１３】
この構成によれば、前段に複数の受信信号がある時に、それぞれの間の利得又は感度差がある場合に対応することができる。
【００１４】
本発明の受信装置は、前記構成において、前記第１及び第２の受信ブロックの各々が、前記受信信号を受ける前記ゲインコントロールアンプと、前記ゲインコントロールアンプからの出力信号のパワーを検出して検出パワー信号を生成する信号パワー検出器と、前記信号パワー検出器からの前記検出パワー信号を一定区間平均する区間平均器と、前記区間平均器からの出力信号を前記ゲインコントロールアンプで増幅した分を割り戻すことによる正規化を行って増幅前の前記受信信号のパワーに相関を持つ正規化後信号とする増幅正規化器と、前記増幅正規化器からの前記正規化後信号を平均化して平均正規化後信号を生成するスロット間信号平均器と、前記スロット間信号平均器からの平均正規化後信号に前記ゲインコントロールアンプで増幅した分を乗算することにより前記区間平均器の前記出力信号のパワーレベルに相関を持つ正規化前信号を生成する増幅みあい分乗算器とを有する構成を採る。
【００１５】
この構成によれば、前段に複数の受信信号がある時に、それぞれの間の利得又は感度差がある場合に対応することができる。
【００１６】
本発明の受信装置は、前記構成において、前記増幅率制御手段が、前記選択制御手段により選択された前記第１又は第２の受信ブロックの前記出力信号及び前記選択制御手段により選択された前記増幅正規化器の前記正規化後信号に基づいて前記ゲインコントロールアンプの増幅率を制御する手段を具備する構成を採る。
【００１７】
この構成によれば、前段に複数の受信信号がある時に、それぞれの間の利得又は感度差がある場合に対応することができ、かつ、ゲインコントロールアンプの前の受信信号のパワーに相関を持つ値で制御するから、受信信号の強度変化に対する追従速度を増大することができる。
【００１８】
本発明の受信装置は、前記構成において、前記増幅率制御手段が、第１及び第２の増幅率制御装置を有し、前記第１の増幅率制御装置が、前記選択制御手段からの選択切替信号に基づいて前記第１の受信ブロック又は前記第２の受信ブロックのいずれかの出力信号を選択して出力する第１の信号セレクタと、前記第１の信号セレクタからの出力信号をｄＢ変換する第１のｄＢ変換器と、適性レンジＡＤリファレンス信号から前記第１のｄＢ変換器の出力信号を減算して適正値差分を生成する第１の減算器と、前記第１の減算器からの適正値差分に制御係数を乗じる第１の制御係数乗算器と、前記ゲインコントロールアンプを制御するための電圧値に前記第１の制御係数乗算器からの出力信号を変化させる第１のＧ−ＶＣ変換器と、前記第１のＧ−ＶＣ変換器からの前記電圧値を遅延バッファに貯えられている１動作周期前の値と加算する誤差加算器と、を有し、前記第２の増幅率制御装置が、前記選択制御手段からの選択切替信号に基づいて前記第１の受信ブロックの前記増幅正規化器又は前記第２の受信ブロックの前記増幅正規化器のいずれかの出力信号を選択して出力する第２の信号セレクタと、前記第２の信号セレクタからの出力信号をｄＢ変換する第２のｄＢ変換器と、適性レンジＡＤリファレンス信号から前記第２のｄＢ変換器の出力信号を減算してフィードフォーワード適正値差分を生成する第２の減算器と、前記第２の減算器からの前記フィードフォーワード適正値差分に制御係数を乗じる第２の制御係数乗算器と、前記ゲインコントロールアンプを制御するための電圧値に前記第２の制御係数乗算器からの出力信号を変化させる第２のＧ−ＶＣ変換器と、前記誤差加算器からの出力信号に前記第２のＧ−ＶＣ変換器からの前記電圧値を加算するフィードフォーワード加算器と、前記フィードフォーワード加算器の出力信号に補正値を加算して補正信号を生成する補正値加算器と、前記フィードフォーワード加算器の前記出力信号及び前記補正値加算器からの前記補正信号に基づいて制御電圧を生成して前記ゲインコントロールアンプに与えるＤＡ変換器と、を有する構成を採る。
【００１９】
この構成によれば、前段に複数の受信信号がある時に、それぞれの間の利得又は感度差がある場合に対応することができ、かつ、ゲインコントロールアンプの前の受信信号のパワーに相関を持つ値で制御するから、受信信号の強度変化に対する追従速度を増大することができる。
【００２０】
本発明の受信装置は、前記構成において、前記第２の減算器の出力端子と前記第２の制御係数乗算器の入力端子との間に接続されているクリッパを有する構成を採る。
【００２１】
この構成によれば、前段に複数の受信信号がある時に、それぞれの間の利得又は感度差がある場合に対応することができ、また、ゲインコントロールアンプの前の受信信号のパワーに相関を持つ値で制御する上でフィードフォーワード制御によるゲインの落ち込みを押さえることができるから、受信信号の強度変化に対する追従速度を増大することができる。
【００２２】
本発明の受信装置は、前記構成において、前記第１の減算器の出力端子と前記第２の制御係数乗算器の入力端子との間に接続され、前記第１の制御計数乗算器への入力信号に基づいて制御係数を前記第２の制御係数乗算器に与える閾値制御器を有する構成を採る。
【００２３】
この構成によれば、前段に複数の受信信号がある時に、それぞれの間の利得又は感度差がある場合に対応することができ、ゲインコントロールアンプの前の受信信号のパワーに相関を持つ値で制御する上でフィードフォーワード制御によるゲインの落ち込みを押さえることができるから、受信信号の強度変化に対する追従速度を増大することができ、かつ、フィードフォーワード制御の過度の制御を避けた上で過渡の制御をできるように制御係数を制御することができる。
【００２４】
本発明の受信装置は、前記構成において、前記選択制御手段の出力端子と前記第２の制御係数乗算器の入力端子との間に接続され、前記選択制御手段からの前記選択切替信号に基づいて制御係数を前記第２の制御係数乗算器に与える切替制御器を有する構成を採る。
【００２５】
この構成によれば、前段に複数の受信信号がある時に、それぞれの間の利得又は感度差がある場合に対応することができ、ゲインコントロールアンプの前の受信信号のパワーに相関を持つ値で制御する上でフィードフォーワード制御によるゲインの落ち込みを押さえることができるから、受信信号の強度変化に対する追従速度を増大することができ、かつ、フィードフォーワード制御の過度の制御を避けた上で過渡の制御をできるように制御係数を制御することができる。
【００２６】
本発明の受信装置は、前記構成において、前記第１の減算器及び前記クリッパの出力端子と前記第２の制御係数乗算器の入力端子との間に接続され、前記第１の制御係数乗算器と前記第２の制御係数乗算器との入力信号の差に基づいて制御係数を前記第２の制御係数乗算器に与える差分値制御器を有する構成を採る。
【００２７】
この構成によれば、前段に複数の受信信号がある時に、それぞれの間の利得又は感度差がある場合に対応することができ、ゲインコントロールアンプの前の受信信号のパワーに相関を持つ値で制御する上でフィードフォーワード制御によるゲインの落ち込みを押さえることができるから、受信信号の強度変化に対する追従速度を増大することができ、かつ、フィードフォーワード制御の過度の制御を避けた上で過渡の制御をできるように制御係数を制御することができる。
【００２８】
本発明の受信装置は、前記構成において、前記選択制御手段及び前記第１の減算器の出力端子と前記第２の制御係数乗算器の入力端子との間に接続され、前記選択制御手段からの前記選択切替信号及び前記第１の制御係数乗算器への入力信号に基づいて制御係数を前記第２の制御係数乗算器に与える切替閾値制御器を有する構成を採る。
【００２９】
この構成によれば、前段に複数の受信信号がある時に、それぞれの間の利得又は感度差がある場合に対応することができ、ゲインコントロールアンプの前の受信信号のパワーに相関を持つ値で制御する上でフィードフォーワード制御によるゲインの落ち込みを押さえることができるから、受信信号の強度変化に対する追従速度を増大することができ、かつ、フィードフォーワード制御の過度の制御を避けた上で過渡の制御をできるように制御係数を制御することができる。
【００３０】
本発明の受信装置は、前記構成において、前記選択制御手段と前記第１の減算器と前記クリッパの出力端子と前記第２の制御係数乗算器の入力端子との間に接続され、前記選択制御手段からの前記選択切替信号及び前記第１の制御係数乗算器と前記第２の制御係数乗算器との入力信号の差に基づいて制御係数を前記第２の制御係数乗算器に与える切替差分値制御器を有する構成を採る。
【００３１】
この構成によれば、前段に複数の受信信号がある時に、それぞれの間の利得又は感度差がある場合に対応することができ、ゲインコントロールアンプの前の受信信号のパワーに相関を持つ値で制御する上でフィードフォーワード制御によるゲインの落ち込みを押さえることができるから、受信信号の強度変化に対する追従速度を増大することができ、かつ、フィードフォーワード制御の過度の制御を避けた上で過渡の制御をできるように制御係数を制御することができる。
【００３２】
本発明の受信装置は、前記構成において、前記第１の受信ブロックと前記第２の受信ブロック及び前記選択制御手段の入力端子に接続されているアンテナ選択固定制御器と、前記アンテナ選択固定制御器の入力端子に接続されているアンテナ選択固定要求ラッチ装置と、を有し、前記アンテナ選択固定制御器は、前記アンテナ選択固定要求ラッチ装置の要求に基づいて前記第１の受信ブロック又は前記第２の受信ブロックの１つを選択して動作させる構成を採る。
【００３３】
この構成によれば、前段に複数の受信信号がある時に、それぞれの間の利得又は感度差がある場合に対応することができ、ゲインコントロールアンプの前の受信信号のパワーに相関を持つ値で制御する上でフィードフォーワード制御によるゲインの落ち込みを押さえることができるから、受信信号の強度変化に対する追従速度を増大することができ、かつ、フィードフォーワード制御の過度の制御を避けた上で過渡の制御をできるように制御係数を制御することができる。また、この構成によれば、第１の受信ブロック又は第２の受信ブロックの１つを選択して動作させるから、消費電力を低減することができる。
【００３４】
本発明の受信装置は、前記構成において、前記第１の受信ブロックと前記第２の受信ブロックと前記選択制御手段の入力端子に接続されているアンテナ選択制御器と、前記アンテナ選択制御器の入力端子に接続されているアンテナ選択固定要求ラッチ装置と、前記第１の受信ブロックと前記第２の受信ブロックと前記アンテナ選択制御器とに接続されている受信レベル判定器とを有し、前記アンテナ選択制御器が、前記アンテナ選択固定要求ラッチ装置の要求及び前記受信レベル判定器の判定結果に基づいて前記第１の受信ブロック又は前記第２の受信ブロックの１つを選択して動作させる構成を採る。
【００３５】
この構成によれば、前段に複数の受信信号がある時に、それぞれの間の利得又は感度差がある場合に対応することができ、ゲインコントロールアンプの前の受信信号のパワーに相関を持つ値で制御する上でフィードフォーワード制御によるゲインの落ち込みを押さえることができるから、受信信号の強度変化に対する追従速度を増大することができ、かつ、フィードフォーワード制御の過度の制御を避けた上で過渡の制御をできるように制御係数を制御することができる。また、この構成によれば、第１の受信ブロック又は第２の受信ブロックの１つを選択して動作させるから、消費電力を低減することができる。
【００３６】
本発明の受信装置は、前記構成において、前記アンテナ選択制御器に接続されているアンテナ選択要求タイマを有し、前記アンテナ選択制御器が、前記アンテナ選択固定要求ラッチ装置の要求、前記受信レベル判定器の判定結果及び前記アンテナ選択要求タイマの要求に基づいて前記第１の受信ブロック又は前記第２の受信ブロックの１つを選択して動作させる構成を採る。
【００３７】
この構成によれば、前段に複数の受信信号がある時に、それぞれの間の利得又は感度差がある場合に対応することができ、ゲインコントロールアンプの前の受信信号のパワーに相関を持つ値で制御する上でフィードフォーワード制御によるゲインの落ち込みを押さえることができるから、受信信号の強度変化に対する追従速度を増大することができ、かつ、フィードフォーワード制御の過度の制御を避けた上で過渡の制御をできるように制御係数を制御することができる。また、この構成によれば、第１の受信ブロック又は第２の受信ブロックの１つを選択して動作させるから、消費電力を低減することができる。
【００３８】
本発明の受信装置は、受信信号を受ける前記ゲインコントロールアンプと、前記ゲインコントロールアンプからの出力信号のパワーを検出して検出パワー信号を生成する信号パワー検出器と、前記信号パワー検出器からの前記検出パワー信号を一定区間平均する区間平均器と、前記区間平均器からの出力信号を前記ゲインコントロールアンプで増幅した分を割り戻すことによる正規化を行って増幅前の前記受信信号のパワーに相関を持つ正規化後信号とする増幅正規化器と、前記増幅正規化器からの前記正規化後信号を平均化して平均正規化後信号を生成するスロット間信号平均器と、前記スロット間信号平均器からの前記平均正規化後信号に前記ゲインコントロールアンプで増幅した分を乗算することにより前記区間平均器の前記出力信号のパワーレベルに相関を持つ正規化前信号を生成する増幅みあい分乗算器と、前記増幅みあい分乗算器の前記正規化前信号及び前記増幅正規化器の前記正規化後信号に基づいて前記ゲインコントロールアンプの増幅率を制御する増幅率制御手段とを具備する構成を採る。
【００３９】
この構成によれば、ゲインコントロールアンプの前の受信信号のパワーに相関を持つ値で制御ができるから、信号の強度変化に対する追従速度を増大することができる。
【００４０】
【発明の実施の形態】
本発明の骨子は、受信信号を受信して増幅するゲインコントロールアンプをそれぞれ有する第１及び第２の受信ブロックの出力信号の強度を検出して比較して強度が大きい前記出力信号に基づいて前記第１又は第２の受信ブロックのゲインコントロールアンプの増幅率を制御することである。
【００４１】
以下、本発明の実施の形態について、図面を参照して詳細に説明する。
【００４２】
（実施の形態１）
図１は、本発明の実施の形態１に係る受信装置の構成を示すブロック図である。図２は、本発明の実施の形態１に係る受信装置の一部の構成を示すブロック図である。
【００４３】
図１に示すように、本発明の実施の形態１に係る受信装置１００は、第１の受信ブロック１０１、第２の受信ブロック１０２、正規化用ゲイン分数算出器１０３、ゲイン算出器１０４、Ｌ−Ｒ選択制御器１０５、後方保護段数ラッチ回路１０６、Ｌ−Ｒ信号セレクタ１０７、ｄＢ変換器１０８、減算器１０９、適性レンジＡＤリファレンス発生器１１０、制御係数乗算器１１１、Ｇ−ＶＣ変換器１１２、誤差加算器１１３、遅延バッファ１１４、Ｌ−Ｒ間補正値生成回路１１５、補正値加算器１１６及びＤＡ変換器１１７を具備している。
【００４４】
第１の受信ブロック１０１は、ゲインコントロールアンプ（ＡＧＣアンプ）１０１−１、受信パワー検出器１０１−２、区間平均器１０１−３、増幅正規化器１０１−４、スロット間信号平均器１０１−５及び増幅みあい分乗算器１０１−６を有している。また、第２の受信ブロック１０２は、ＡＧＣアンプ１０２−１、受信パワー検出器１０２−２、区間平均器１０２−３、増幅正規化器１０２−４、スロット間信号平均器１０２−５及び増幅みあい分乗算器１０２−６を有している。
【００４５】
受信パワー検出器１０１−２の入力端子は、ＡＧＣ１０１−１の出力端子に接続されている。区間平均器１０１−３の入力端子は、受信パワー検出器１０１−２の出力端子に接続されている。増幅正規化器１０１−４の入力端子は、区間平均器１０１−３の出力端子に接続されている。スロット間信号平均器１０１−５の入力端子は、増幅正規化器１０１−４の出力端子に接続されている。増幅みあい分乗算器１０１−６の入力端子は、スロット間信号平均器１０１−５の出力端子に接続されている。
【００４６】
また、受信パワー検出器１０２−２の入力端子は、ＡＧＣ１０２−１の出力端子に接続されている。区間平均器１０２−３の入力端子は、受信パワー検出器１０２−２の出力端子に接続されている。増幅正規化器１０２−４の入力端子は、区間平均器１０２−３の出力端子に接続されている。スロット間信号平均器１０２−５の入力端子は、増幅正規化器１０２−４の出力端子に接続されている。増幅みあい分乗算器１０２−６の入力端子は、スロット間信号平均器１０２−５の出力端子に接続されている。
【００４７】
正規化用ゲイン分数算出器１０３の出力端子は、増幅正規化器１０１−４、０２−４の入力端子に接続されている。ゲイン算出器１０４の出力端子は、増幅みあい分乗算器１０１−６、１０２−６の入力端子に接続されている。Ｌ−Ｒ選択制御器１０５の入力端子は、増幅みあい分乗算器１０１−６、１０２−６の出力端子に接続されている。また、Ｌ−Ｒ選択制御器１０５の入力端子は、後方保護段数ラッチ回路１０６の出力端子に接続されている。Ｌ−Ｒ信号セレクタ１０７の入力端子は、Ｌ−Ｒ選択制御器１０５の出力端子に接続されている。ｄＢ変換器１０８の入力端子は、Ｌ−Ｒ信号セレクタ１０７の出力端子に接続されている。減算器１０９の入力端子は、ｄＢ変換器１０８の出力端子に接続されている。また、減算器１０９の入力端子は、適性レンジＡＤリファレンス発生器１１０の出力端子に接続されている。制御係数乗算器１１１の入力端子は、減算器１０９の出力端子に接続されている。Ｇ−ＶＣ変換器１１２の入力端子は、制御係数乗算器１１１の出力端子に接続されている。誤差加算器１１３の入力端子は、Ｇ−ＶＣ変換器１１２の出力端子に接続されている。また、誤差加算器１１３の入出力端子は、遅延バッファ１１４の入出力端子に接続されている。誤差加算器１１３の出力端子は、ゲイン算出器１０４及びＬ−Ｒ選択制御器１０５の入力端子に接続されている。補正値加算器１１６の入力端子は、誤差加算器１１３及びＬπ−Ｒ間補正値生成回路１１５の出力端子に接続されている。ＤＡ変換器１１７の入力端子は、誤差加算器１１３及び補正値加算器１１６の出力端子に接続されている。ＤＡ変換器１１７の出力端子は、受信パワー検出器１０１−２、１０２−２の入力端子に接続されている。
【００４８】
ＡＧＣアンプ１０１−１は、Ｒ側端子ＲＩで受信した受信信号を増幅して信号パワー検出器１０１−２に与える。信号パワー検出器１０１−２は、受信信号のパワーを検出して検出パワー信号を生成する。受信パワー検出器１０１−２は、一般的な直交検波器を有するものである。
【００４９】
次に、受信パワー検出器１０１−２の１例を図２を参照して説明する。
【００５０】
図２に示すように、受信パワー検出器１０１−２は、π／２移相器２０１、局部発振器２０２、乗算器２０３、２０４、ローパスフィルタ２０５、２０６、ＡＤ変換器２０７、２０８、２乗演算器２０９、２１０及び合成器２１１を有している。
【００５１】
π／２移相器２０１の入力端子は、局部発振器２０２の出力端子に接続されている。乗算器２０３、２０４の入力端子は、ＡＧＣ１０１−１の出力端子に接続されている。乗算器２０３の入力端子は、局部発振器２０２の出力端子に接続されている。乗算器２０４の入力端子は、π／２移相器２０１の出力端子に接続されている。ローパスフィルタ２０５、２０６の入力端子は、それぞれ乗算器２０３、２０４の出力端子に接続されている。ＡＤ変換器２０７、２０８の入力端子は、ローパスフィルタ２０５、２０６の出力端子に接続されている。２乗演算器２０９、２１０の入力端子は、ＡＤ変換器２０７、２０８の出力端子に接続されている。合成器２１１の入力端子は、２乗演算器２０９、２１０の出力端子に接続されている。合成器２１１の出力端子は、区間平均器１０２−３の入力端子に接続されている。
【００５２】
局部発振器２０２は、入力される受信信号の中心周波数に等しいキャリア信号を発生する。π／２移相器２０１は、局部発振器２０２からのキャリア信号の位相をπ／２移相して乗算器２０４に与える。乗算器２０３は、ＡＧＣ１０１−１の出力にキャリア信号を乗算する。乗算器２０４は、ＡＧＣ１０１−１の出力にπ／２移相器２０１からの出力信号を乗算する。ローパスフィルタ２０５、２０６は、乗算器２０３、２０４からの出力信号から所定帯域の周波数を除去する。ＡＤ変換器２０７、２０８は、ローパスフィルタ２０５、２０６からの出力信号を変換してデジタル信号にして２乗演算器及２０９、２１０に与える。２乗演算器２０９、２１０は、ＡＤ変換器２０７、２０８からの出力信号の２乗値を演算して演算値を合成器２１１に与える。合成器２１１は、２乗演算器及２０９、２１０からの演算値を合成して検出パワー信号として区間平均器１０１−３に与える。
【００５３】
区間平均器１０１−３は、信号パワー検出器１０１−２からの検出パワー信号を一定時間平均した後に増幅正規化器１０１−４に与える。増幅正規化器１０１−４は、ＡＧＣアンプ１０１−１で増幅した分を割り戻すことによる正規化を行って増幅前の受信信号のパワーに相関を持つ正規化後信号とする。
【００５４】
スロット間信号平均器１０１−５は、増幅正規化器１０１−４からの正規化後信号を平均化して平均正規化後信号を生成して増幅みあい分乗算器１０１−６に与える。増幅みあい分乗算器１０１−６は、スロット間信号平均器１０１−５からの平均正規化後信号にＡＧＣアンプ１０１−１で増幅した分を乗算することにより、区間平均器１０１−３の出力信号パワーレベルに相関を持つ正規化前信号とする。
【００５５】
ＡＧＣアンプ１０２−１は、Ｌ側端子ＬＩで受信した受信信号を増幅して信号パワー検出器１０２−２に与える。信号パワー検出器１０２−２は、受信信号のパワーを測定して検出パワー信号を生成する。受信パワー検出器１０２−２は、一般的な直交検波器を有するものである。受信パワー検出器１０２−２は、受信パワー検出器１０１−２と同じものである。区間平均器１０２−３、増幅正規化器１０２−４、スロット間信号平均器１０２−５及び増幅みあい分乗算器１０２−６は、前記区間平均器１０１−３、増幅正規化器１０１−４、スロット間信号平均器１０１−５及び増幅みあい分乗算器１０１−６と同じように動作する。
【００５６】
Ｌ−Ｒ信号セレクタ１０７は、第１の受信ブロック１０１又は第２の受信ブロック１０２のいずれかの出力信号（正規化前信号）を選択してＡＧＣアンプ１０１−１、１０２−２の増幅値を制御するものである。
【００５７】
Ｌ−Ｒ選択制御器１０５は、増幅みあい分乗算器１０１−６、１０２−６からの正規化前信号及び後方保護段数ラッチ回路１０６からの後方保護段数を受けて、現在選択されている側ではない側の正規化前信号のパワーが後方保護段数ラッチ回路に示される後方保護段数上回った時に現在選択されている側ではない側に選択を切り替えるための選択切替信号を生成してＬ−Ｒ信号セレクタ１０７に与える。すなわち、Ｌ−Ｒ選択制御器１０５は、第１の受信ブロック１０１及び第２の受信ブロック１０の出力信号の強度を比較して強度が大きい前記出力信号の方の第１の受信ブロック１０１又は第２の受信ブロック１０２を選択するように切り替える選択切替信号を生成してＬ−Ｒ信号セレクタ１０７に与える。Ｌ−Ｒ信号セレクタ１０７は、Ｌ−Ｒ選択制御器１０５からの選択切替信号に基づいて第１の受信ブロック１０１又は第２の受信ブロック１０２のいずれかの出力信号を選択してｄＢ変換器１０８に与える。
【００５８】
ｄＢ変換器１０８は、増幅みあい分乗算器１０１−６又は増幅みあい分乗算器１０２−６からの正規化前信号をｄＢ変換する。減算器１０９は、適性レンジＡＤリファレンス発生器１１０からの適性レンジＡＤリファレンス信号からｄＢ変換器１０８の正規化前信号を減算して適正値差分ｄＢを生成する。
【００５９】
制御係数乗算器１１１は、減算器１０９からの適正値差分ｄＢに制御係数Ｋ１を乗じてＧ−ＶＣ変換器１１２に与える。Ｇ−ＶＣ変換器１１２は、ＡＧＣアンプ１０１−１、１０２−１を制御するための電圧値に制御係数乗算器１１１の出力信号を変化させて誤差加算器１１３に与える。誤差加算器１１３は、Ｇ−ＶＣ変換器１１２からの電圧値を遅延バッファ１１４に貯えられている１動作周期前の値と加算する。
【００６０】
誤差加算器１１３の出力信号は、次の動作周期のために遅延バッファ１１４に貯えられる。また、誤差加算器１１３の出力信号は、正規化用ゲイン分数算出器１０３に与えられ、増幅正規化器１０１−４、１０２−４のための増幅した分の割り戻す値が算出される。また、誤差加算器１１３の出力信号は、ゲイン算出器１０４に与えられ、増分みあい分乗算器１０１−６、１０２−６のための増幅分の値が算出される。
【００６１】
誤差加算器１１３の出力信号は、Ｒ側であるＡＧＣアンプ１０１−１用としてＤＡ変換器１１７に直接に与えられる。また、誤差加算器１１３の出力信号は、補正値加算器１１６に与えられる。補正値加算器１１６は、誤差加算器１１３の出力信号にＬ−Ｒ間補正値生成回路１１５からのＬ−Ｒ間補正値を加算してＬ−Ｒ間補正信号としてＤＡ変換器１１７に直接に与える。ＤＡ変換器１１７は、誤差加算器１１３の出力信号及び補正値加算器１１６からのＬ−Ｒ間補正信号に基づいてＡＧＣアンプ１０１−１、１０２−１のための制御電圧を生成して受信信号の増幅値を決定する。ＤＡ変換器１１７は、誤差加算器１１３の出力信号及び補正値加算器１１６からのＬ−Ｒ間補正信号に基づいてＡＧＣアンプ１０１−１、１０２−１のための制御電圧を生成することにより、第１の受信ブロック１０１と第２の受信ブロック１０２との前段の利得及び感度差を相殺する。
【００６２】
本発明の実施の形態１によれば、第１の受信ブロック１０１及び第２の受信ブロック１０２の出力信号のうち強度が大きい方の出力信号に基づいて当該出力信号に対応する第１の受信ブロック１０１又は第２の受信ブロックを用いて信号を受信するから、前段に複数の受信信号がある時に、それぞれの間の利得又は感度差がある場合に対応することができる。
【００６３】
（実施の形態２）
次に、本発明の実施の形態２について、図面を参照して説明する。本発明の実施の形態２においては、本発明の実施の形態１と同じ構成要素には同じ参照符号が付されている。図３は、本発明の実施の形態２に係る受信装置の構成を示すブロック図である。
【００６４】
図３に示すように、本発明の実施の形態２に係る受信装置３００は、本発明の実施の形態１に係る受信装置１００において、Ｌ−Ｒ信号セレクタ３０１、ｄＢ変換器３０２、減算器３０３、適性レンジＡＤリファレンス発生器３０４、制御係数乗算器３０５、Ｇ−ＶＣ変換器３０６及びフィードフォーワード加算器３０７を追加してなる。
【００６５】
Ｌ−Ｒ信号セレクタ３０１の入力端子は、増幅正規化器１０１−４、１０２−４及びＬ−Ｒ選択制御器１０５の出力端子に接続されている。ｄＢ変換器３０２の入力端子は、Ｌ−Ｒ信号セレクタ３０１の出力端子に接続されている。減算器３０３の入力端子は、ｄＢ変換器３０２の出力端子に接続されている。また、減算器３０３の入力端子は、適性レンジＡＤリファレンス発生器３０４の出力端子に接続されている。制御係数乗算器３０５の入力端子は、減算器３０３の出力端子に接続されている。Ｇ−ＶＣ変換器３０６の入力端子は、制御係数乗算器３０５の出力端子に接続されている。
【００６６】
フィードフォーワード加算器３０７の入力端子は、Ｇ−ＶＣ変換器３０６の出力端子に接続されている。また、フィードフォーワード加算器３０７の入力端子は、誤差加算器１１３の出力端子に接続されている。誤差加算器１１３の出力端子は、ゲイン算出器１０４及びＬ−Ｒ選択制御器１０５の入力端子に接続されていない。フィードフォーワード加算器３０７の出力端子は、ゲイン算出器１０４及びＬ−Ｒ選択制御器１０５の入力端子に接続されている。誤差加算器１１３の出力端子は、ＤＡ変換器１１７の入力端子に接続されていない。フィードフォーワード加算器３０７の出力端子は、ＤＡ変換器１１７の入力端子に接続されている。
【００６７】
次に、本発明の実施の形態１に係る受信装置１００と異なる本発明の実施の形態２に係る受信装置３００の動作を説明する。
【００６８】
Ｌ−Ｒ選択制御器１０５は、増幅みあい分乗算器１０１−６、１０２−６からの正規化前信号及び後方保護段数ラッチ回路１０６からの後方保護段数を受けて、現在選択されている側ではない側の正規化前信号のパワーが後方保護段数ラッチ回路に示される後方保護段数上回った時に現在選択されている側ではない側に選択を切り替えるための選択切替信号を生成してＬ−Ｒ信号セレクタ１０７、３０１に与える。
【００６９】
Ｌ−Ｒ信号セレクタ１０７は、Ｌ−Ｒ選択制御器１０５からの選択切替信号に基づいて第１の受信ブロック１０１又は第２の受信ブロック１０２のいずれかの出力信号を選択してｄＢ変換器１０８に与える。また、Ｌ−Ｒ信号セレクタ３０１は、Ｌ−Ｒ選択制御器１０５からの選択切替信号に基づいて第１の受信ブロック１０１の増幅正規化器１０１−４又は第２の受信ブロック１０２の増幅正規化器１０２−４のいずれかの出力信号を選択してｄＢ変換器３０２に与える。
【００７０】
ｄＢ変換器３０２は、Ｌ−Ｒ信号セレクタ３０１からの正規化後信号をｄＢ変換する。減算器３０３は、適性レンジＡＤリファレンス発生器３０４からの適性レンジＡＤリファレンス信号からｄＢ変換器３０２の正規化前信号を減算してフィードフォーワード適正値差分ｄＢを生成する。
【００７１】
制御係数乗算器３０５は、減算器３０３からのフィードフォーワード適正値差分ｄＢに制御係数Ｋ２を乗じてＧ−ＶＣ変換器３０６に与える。Ｇ−ＶＣ変換器３０６は、ＡＧＣアンプ１０１−１、１０２−１を制御するための電圧値に制御係数乗算器３０５からの出力信号を変化させてフィードフォーワード加算器３０７に与える。フィードフォーワード加算器３０７は、誤差加算器１１３からの出力信号にＧ−ＶＣ変換器３０６からの出力信号を加算する。フィードフォーワード加算器３０７の出力信号は、正規化用ゲイン分数算出器１０３に与えられ、増幅正規化器１０１−４、１０２−４のための増幅した分の割り戻す値が算出される。また、フィードフォーワード加算器３０７の出力信号は、ゲイン算出器１０４に与えられ、増分みあい分乗算器１０１−６、１０２−６のための増幅分の値が算出される。
【００７２】
また、フィードフォーワード加算器３０７の出力信号は、Ｒ側であるＡＧＣアンプ１０１−１用としてＤＡ変換器１１７に直接に与えられる。また、フィードフォーワード加算器３０７の出力信号は、補正値加算器１１６に与えられる。補正値加算器１１６は、フィードフォーワード加算器３０７の出力信号にＬ−Ｒ間補正値生成回路１１５からのＬ−Ｒ間補正値を加算してＬ−Ｒ間補正信号としてＤＡ変換器１１７に直接に与える。ＤＡ変換器１１７は、フィードフォーワード加算器３０７の出力信号及び補正値加算器１１６からのＬ−Ｒ間補正信号に基づいてＡＧＣアンプ１０１−１、１０２−１のための制御電圧を生成して受信信号の増幅値を決定する。ＤＡ変換器１１７は、誤差加算器１１３の出力信号及び補正値加算器１１６からのＬ−Ｒ間補正信号に基づいてＡＧＣアンプ１０１−１、１０２−１のための制御電圧を生成することにより、第１の受信ブロック１０１と第２の受信ブロック１０２との前段の利得及び感度差を相殺する。
【００７３】
本発明の実施の形態２によれば、第１の受信ブロック１０１及び第２の受信ブロックの出力信号のうち強度が大きい方の出力信号に基づいて当該出力信号に対応する第１の受信ブロック１０１又は第２の受信ブロックを用いて信号を受信するから、前段に複数の受信信号がある時に、それぞれの間の利得又は感度差がある場合に対応することができる。また、本発明の実施の形態２によれば、ＡＧＣアンプ１０１−１、１０２−１の単独の増幅前の受信信号のパワーと相関を有する信号を用いて制御をするため、受信信号の強度変化に対する追従速度を増大することができる。
【００７４】
（実施の形態３）
次に、本発明の実施の形態３について、図面を参照して説明する。本発明の実施の形態３においては、本発明の実施の形態２と同じ構成要素には同じ参照符号が付されている。図４は、本発明の実施の形態３に係る受信装置の構成を示すブロック図である。
【００７５】
図４に示すように、本発明の実施の形態３に係る受信装置４００は、本発明の実施の形態２に係る受信装置３００において、クリッパ４０１を追加してなる。クリッパ４０１は、減算器３０３の出力端子と制御係数乗算器３０５の入力端子との間に接続されている。
【００７６】
次に、本発明の実施の形態２に係る受信装置３００と異なる本発明の実施の形態３に係る受信装置４００の動作を説明する。
【００７７】
クリッパ４０１は、減算器３０３からの出力信号（フィードフォーワード適正差分ｄＢ）を受けて、フィードフォーワード適正差分ｄＢの０以下の値を０となるようにクリッピングして制御係数乗算器３０５に与える。これにより、フィードフォーワード制御によるゲイン減少が防止される。
【００７８】
本発明の実施の形態３によれば、本発明の実施の形態２の効果に加えて、フィードフォーワード制御によるゲイン減少が防止ことができるから、受信信号の強度変化に対する追従速度を増大することができる。
【００７９】
（実施の形態４）
次に、本発明の実施の形態４について、図面を参照して説明する。本発明の実施の形態４においては、本発明の実施の形態３と同じ構成要素には同じ参照符号が付されている。図５は、本発明の実施の形態４に係る受信装置の構成を示すブロック図である。
【００８０】
図５に示すように、本発明の実施の形態４に係る受信装置５００は、本発明の本発明の実施の形態３に係る受信装置４００において、閾値制御器５０１を追加してなる。閾値制御器５０１は、減算器１０９の出力端子と制御係数乗算器３０５の入力端子の間に接続されている。
【００８１】
次に、本発明の実施の形態３に係る受信装置４００と異なる本発明の実施の形態４に係る受信装置５００の動作を説明する。
【００８２】
閾値制御器５０１は、制御計数乗算器１１１への入力信号に基づいて制御係数Ｋ３を制御係数乗算器３０５に与える。例えば、閾値値制御器５０１は、制御計数乗算器１１１への入力信号がある閾値を超えた場合に制御係数Ｋ３を制御係数Ｋ２の０．５倍とし、制御計数乗算器１１１への入力信号がある閾値を超えた場合に制御係数Ｋ３を制御係数Ｋ２の１．０倍とする。制御係数乗算器３０５は、減算器３０３からのフィードフォーワード適正値差分ｄＢに制御係数Ｋ３を乗じてＧ−ＶＣ変換器３０６に与える。
【００８３】
本発明の実施の形態４によれば、本発明の実施の形態３の効果に加えて、フィードフォーワード制御の過度の制御を避けた上で過渡の制御をできるように制御係数を制御することができる。
【００８４】
（実施の形態５）
次に、本発明の実施の形態５について、図面を参照して説明する。本発明の実施の形態５においては、本発明の実施の形態３と同じ構成要素には同じ参照符号が付されている。図６は、本発明の実施の形態５に係る受信装置の構成を示すブロック図である。
【００８５】
図６に示すように、本発明の実施の形態５に係る受信装置６００は、本発明の実施の形態３に係る受信装置４００において、切替制御器６０１を追加してなる。
【００８６】
切替制御器６０１は、Ｌ−Ｒ選択制御器１０５の出力端子と制御係数乗算器３０５の入力端子の間に接続されている。
【００８７】
次に、本発明の実施の形態３に係る受信装置４００と異なる本発明の実施の形態５に係る受信装置６００の動作を説明する。
【００８８】
切替制御器６０１は、Ｌ−Ｒ選択制御器１０５からの選択切替信号に基づいて制御係数Ｋ４を制御係数乗算器３０５に与える。例えば、切替制御器６０１は、Ｌ−Ｒ選択制御器１０５からの選択切替信号を受けた時に制御係数Ｋ４を制御係数Ｋ２の２．０倍とする。制御係数乗算器３０５は、減算器３０３からのフィードフォーワード適正値差分ｄＢに制御係数Ｋ４を乗じてＧ−ＶＣ変換器３０６に与える。
【００８９】
本発明の実施の形態５によれば、本発明の実施の形態３の効果に加えて、フィードフォーワード制御の過度の制御を避けた上で過渡の制御をできるように制御係数を制御することができる。
【００９０】
（実施の形態６）
次に、本発明の実施の形態６について、図面を参照して説明する。本発明の実施の形態６においては、本発明の実施の形態３と同じ構成要素には同じ参照符号が付されている。図７は、本発明の実施の形態６に係る受信装置の構成を示すブロック図である。
【００９１】
図７に示すように、本発明の実施の形態６に係る受信装置７００は、本発明の実施の形態３に係る受信装置４００において、差分値制御器７０１を追加してなる。差分値制御器７０１は、減算器１０９及びクリッパ４０１の出力端子と制御係数乗算器３０５の入力端子の間に接続されている。
【００９２】
次に、本発明の実施の形態３に係る受信装置４００と異なる本発明の実施の形態６に係る受信装置７００の動作を説明する。
【００９３】
差分値制御器７０１は、制御係数乗算器１１１と制御係数乗算器３０５との入力信号の差に基づいて制御係数Ｋ５を制御係数乗算器３０５に与える。例えば、差分値制御器７０１は、制御係数乗算器１１１と制御係数乗算器３０５との入力信号の差がある閾値を超えた場合に制御係数Ｋ５を制御係数Ｋ２の２．０倍とし、制御計数乗算器１１１への入力信号がある閾値を超えた場合に制御係数Ｋ５を制御係数Ｋ２の１．０倍とする。制御係数乗算器３０５は、減算器３０３からのフィードフォーワード適正値差分ｄＢに制御係数Ｋ５を乗じてＧ−ＶＣ変換器３０６に与える。
【００９４】
本発明の実施の形態６によれば、本発明の実施の形態３の効果に加えて、フィードフォーワード制御の過度の制御を避けた上で過渡の制御をできるように制御係数を制御することができる。
【００９５】
（実施の形態７）
次に、本発明の実施の形態７について、図面を参照して説明する。本発明の実施の形態７においては、本発明の実施の形態３と同じ構成要素には同じ参照符号が付されている。図８は、本発明の実施の形態７に係る受信装置の構成を示すブロック図である。
【００９６】
図８に示すように、本発明の実施の形態７に係る受信装置８００は、本発明の実施の形態３に係る受信装置４００において、切替閾値制御器８０１を追加してなる。切替閾値制御器８０１は、Ｌ−Ｒ選択制御器１０５及び減算器１０９の出力端子と制御係数乗算器３０５の入力端子の間に接続されている。
【００９７】
次に、本発明の実施の形態３に係る受信装置４００と異なる本発明の実施の形態７に係る受信装置８００の動作を説明する。
【００９８】
切替閾値制御器８０１は、Ｌ−Ｒ選択制御器１０５からの選択切替信号及び制御係数乗算器１１１への入力信号に基づいて制御係数Ｋ６を制御係数乗算器３０５に与える。例えば、切替閾値制御器８０１は、制御計数乗算器１１１への入力信号がある閾値を超えた場合に制御係数Ｋ６を制御係数Ｋ２の０．５倍とし、制御計数乗算器１１１への入力信号がある閾値を超えた場合に制御係数Ｋ６を制御係数Ｋ２の１．０倍とする。また、切替閾値制御器８０１は、Ｌ−Ｒ選択制御器１０５からの選択切替信号を受けた時に制御係数Ｋ６を制御係数Ｋ２の２．０倍とする。
【００９９】
本発明の実施の形態７によれば、本発明の実施の形態３の効果に加えて、フィードフォーワード制御の過度の制御を避けた上で過渡の制御をできるように制御係数を制御することができる。
【０１００】
（実施の形態８）
次に、本発明の実施の形態８について、図面を参照して説明する。本発明の実施の形態８においては、本発明の実施の形態３と同じ構成要素には同じ参照符号が付されている。図９は、本発明の実施の形態８に係る受信装置の構成を示すブロック図である。
【０１０１】
図９に示すように、本発明の実施の形態８に係る受信装置９００は、本発明の実施の形態３に係る受信装置４００において、切替差分値制御器９０１を追加してなる。切替差分値制御器９０１は、Ｌ−Ｒ選択制御器１０５、減算器１０９及びクリッパ４０１の出力端子と制御係数乗算器３０５の入力端子の間に接続されている。
【０１０２】
次に、本発明の実施の形態３に係る受信装置４００と異なる本発明の実施の形態８に係る受信装置９００の動作を説明する。
【０１０３】
切替差分値制御器９０１は、Ｌ−Ｒ選択制御器１０５からの選択切替信号及び制御係数乗算器１１１と制御係数乗算器３０５との入力信号の差に基づいて制御係数Ｋ７を制御係数乗算器３０５に与える。
【０１０４】
例えば、切替差分値制御器９０１は、制御係数乗算器１１１と制御係数乗算器３０５との入力信号の差がある閾値を超えた場合に制御係数Ｋ７を制御係数Ｋ２の２．０倍とし、制御計数乗算器１１１への入力信号がある閾値を超えた場合に制御係数Ｋ７を制御係数Ｋ２の１．０倍とする。また、切替差分値制御器９０１は、Ｌ−Ｒ選択制御器１０５からの選択切替信号を受けた時に制御係数Ｋ７を制御係数Ｋ２の２．０倍とする。制御係数乗算器３０５は、減算器３０３からのフィードフォーワード適正値差分ｄＢに制御係数Ｋ７を乗じてＧ−ＶＣ変換器３０６に与える。
【０１０５】
本発明の実施の形態８によれば、本発明の実施の形態３の効果に加えて、フィードフォーワード制御の過度の制御を避けた上で過渡の制御をできるように制御係数を制御することができる。
【０１０６】
（実施の形態９）
次に、本発明の実施の形態９について、図面を参照して説明する。本発明の実施の形態９においては、本発明の実施の形態８と同じ構成要素には同じ参照符号が付されている。図１０は、本発明の実施の形態９に係る受信装置の構成を示すブロック図である。
【０１０７】
図１０に示すように、本発明の実施の形態９に係る受信装置１０００は、本発明の実施の形態８に係る受信装置９００において、アンテナ選択固定要求ラッチ装置１００１及びアンテナ選択固定制御器１００２を追加してなる。
【０１０８】
アンテナ選択固定制御器１００２の入力端子は、アンテナ選択固定要求ラッチ装置１００１の出力端子に接続されている。アンテナ選択固定制御器１００２の出力端子は、第１の受信ブロック１０１、第２の受信ブロック１０２及びＬ−Ｒ選択制御器１０５の入力端子に接続されている。
【０１０９】
次に、本発明の実施の形態８に係る受信装置９００と異なる本発明の実施の形態９に係る受信装置１０００の動作を説明する。
【０１１０】
アンテナ選択固定要求ラッチ装置１００１は、外部からのアンテナＲ、Ｌの選択の固定要求をラッチする。アンテナ選択固定制御器１００２は、アンテナ選択固定要求ラッチ装置１００１からの要求（指示）がアンテナＲの固定である場合にＬ−Ｒ選択制御器１０５にＲ側の第１の受信ブロック１０１を選択する選択信号を与える。この場合に、Ｌ−Ｒ選択制御器１０５は、動作指示信号をＲ側の第１の受信ブロック１０１に与えてＲ側の第１の受信ブロック１０１を動作させ、かつ、動作指示信号をＬ側の第２の受信ブロック１０２に選択信号を与えずにＬ側の第２の受信ブロック１０２の動作を停止させる。
【０１１１】
また、アンテナ選択固定制御器１００２は、アンテナ選択固定要求ラッチ装置１００１からの要求がアンテナＬの固定である場合にＬ−Ｒ選択制御器１０５にＬ側の第２の受信ブロック１０２を選択する選択信号を与える。この場合に、Ｌ−Ｒ選択制御器１０５は、動作指示信号をＬ側の第２の受信ブロック１０２に与えてＬ側の第２の受信ブロック１０２を動作させ、かつ、動作指示信号をＲ側の第１の受信ブロック１０１に与えずにＲ側の第１の受信ブロック１０１の動作を停止させる。
【０１１２】
本発明の実施の形態９によれば、本発明の実施の形態８の効果に加えて、第１の受信ブロック１０１及び第２の受信ブロック１０２のうち必要な方のみを動作させるから、消費電力を低減することができる。
【０１１３】
（実施の形態１０）
次に、本発明の実施の形態１０について、図面を参照して説明する。本発明の実施の形態１０においては、本発明の実施の形態９と同じ構成要素には同じ参照符号が付されている。図１１は、本発明の実施の形態１０に係る受信装置の構成を示すブロック図である。
【０１１４】
図１１に示すように、本発明の実施の形態１０に係る受信装置１１００は、本発明の実施の形態９に係る受信装置１０００において、受信レベル判定器１１０１を追加し、アンテナ選択固定制御器１００２の代わりにアンテナ選択制御器１１０２を有する。受信レベル判定器１１０１の入力端子は、第１の受信ブロック１０１及び第２の受信ブロック１０２の出力端子に接続されている。受信レベル判定器１１０１の出力端子は、アンテナ選択制御器１１０２の入力端子に接続されている。
【０１１５】
また、アンテナ選択制御器１１０２の入力端子は、アンテナ選択固定要求ラッチ装置１００１の入力端子に接続されている。アンテナ選択制御器１１０２の入力端子は、アンテナ選択固定要求ラッチ装置１００１の出力端子に接続されている。アンテナ選択制御器１１０２の出力端子は、第１の受信ブロック１０１、第２の受信ブロック１０２及びＬ−Ｒ選択制御器１０５の入力端子に接続されている。
【０１１６】
次に、本発明の実施の形態９に係る受信装置１０００と異なる本発明の実施の形態１０に係る受信装置１１００の動作を説明する。
【０１１７】
受信レベル判定器１１０１は、第１の受信ブロック１０１及び第２の受信ブロック１０２の出力信号のレベルの差を判定し、このレベルの差（判定結果）が基準値より大きい場合に出力信号のレベルが高い方の第１の受信ブロック１０１又は第２の受信ブロック１０２を選択して当該選択した第１の受信ブロック１０１又は第２の受信ブロック１０２に動作指示信号を与える。
【０１１８】
アンテナ選択要求ラッチ装置１１０１は、外部からのアンテナＲ、Ｌ（図示せず）の選択の固定要求をラッチする。アンテナ選択制御器１１０２は、外部からの指示がアンテナＲの固定である場合にＬ−Ｒ選択制御器１０５にＲ側の第１の受信ブロック１０１を選択する選択信号を与える。この場合に、Ｌ−Ｒ選択制御器１０５は、動作指示信号をＲ側の第１の受信ブロック１０１に与えてＲ側の第１の受信ブロック１０１を動作させ、かつ、動作指示信号をＬ側の第２の受信ブロック１０２に選択信号を与えずにＬ側の第２の受信ブロック１０２の動作を停止させる。
【０１１９】
また、アンテナ選択制御器１１０２は、外部からの指示がアンテナＬの固定である場合にＬ−Ｒ選択制御器１０５にＬ側の第２の受信ブロック１０２を選択する選択信号を与える。この場合に、Ｌ−Ｒ選択制御器１０５は、動作指示信号をＬ側の第２の受信ブロック１０２に与えてＬ側の第２の受信ブロック１０２を動作させ、かつ、動作指示信号をＲ側の第１の受信ブロック１０１に与えずにＲ側の第１の受信ブロック１０１の動作を停止させる。
【０１２０】
また、アンテナ選択制御器１１０２は、アンテナ選択要求ラッチ装置１１０１からの要求がない自己選択時においては、受信レベル判定器１１０１からの動作指示信号を受けた方の第１の受信ブロック１０１又は第２の受信ブロック１０２に動作指示信号を与えて第１の受信ブロック１０１又は第２の受信ブロック１０２動作させる。
【０１２１】
本発明の実施の形態１０によれば、本発明の実施の形態８の効果に加えて、第１の受信ブロック１０１及び第２の受信ブロック１０２のうち必要な方のみを動作させるから、消費電力を低減することができる。
【０１２２】
（実施の形態１１）
次に、本発明の実施の形態１１について、図面を参照して説明する。本発明の実施の形態１１においては、本発明の実施の形態１０と同じ構成要素には同じ参照符号が付されている。図１２は、本発明の実施の形態１１に係る受信装置の構成を示すブロック図である。
【０１２３】
図１２に示すように、本発明の実施の形態１１に係る受信装置１２００は、本発明の実施の形態１０に係る受信装置１１００において、アンテナ選択要求タイマ１２０１を追加してなる。アンテナ選択要求タイマ１２０１の出力端子は、アンテナ選択制御器１１０２の入力端子に接続されている。
【０１２４】
次に、本発明の実施の形態１０に係る受信装置１１００と異なる本発明の実施の形態１１に係る受信装置１２００の動作を説明する。
【０１２５】
アンテナ選択要求タイマ１２０１は、アンテナ選択要求ラッチ装置１１０１からの要求がある選択固定状態を指示すると選択固定状態指示信号と、アンテナ選択要求ラッチ装置１１０１からの要求がない自己選択状態を指示する自己選択状態指示信号をアンテナ選択制御器１１０２に与える。アンテナ選択要求タイマ１２０１は、選択固定状態指示信号又は自己選択状態指示信号を生成する時間を設定する。
【０１２６】
アンテナ選択制御器１１０２は、アンテナ選択要求タイマ１２０１から選択固定状態指示信号を受けている時に、アンテナ選択要求ラッチ装置１１０１の指示に従って制御する。また、アンテナ選択制御器１１０２は、アンテナ選択要求タイマ１２０１から自己選択状態指示信号を受けている時に、受信レベル判定器１１０１からの動作指示信号に従って制御する。
【０１２７】
本発明の実施の形態１１によれば、本発明の実施の形態８の効果に加えて、第１の受信ブロック１０１及び第２の受信ブロック１０２のうち必要な方のみを動作させるから、消費電力を低減することができる。
【０１２８】
（実施の形態１２）
次に、本発明の実施の形態１２について、図面を参照して説明する。本発明の実施の形態１２においては、本発明の実施の形態１と同じ構成要素には同じ参照符号が付されている。図１３は、本発明の実施の形態１２に係る受信装置の構成を示すブロック図である。
【０１２９】
図１３に示すように、本発明の実施の形態１２に係る受信装置１３００は、第１の受信ブロック１０１、正規化用ゲイン分数算出器１０３、ゲイン算出器１０４、ｄＢ変換器１０８、減算器１０９、適性レンジＡＤリファレンス発生器１１０、制御係数乗算器１１１、Ｇ−ＶＣ変換器１１２、誤差加算器１１３、遅延バッファ１１４、ｄＢ変換器３０２、減算器３０３、適性レンジＡＤリファレンス発生器３０４、制御係数乗算器３０５、Ｇ−ＶＣ変換器３０６、フィードフォーワード加算器３０７及びＤＡ変換器１１７を具備している。
【０１３０】
第１の受信ブロック１０１は、ＡＧＣアンプ１０１−１、受信パワー検出器１０１−２、区間平均器１０１−３、増幅正規化器１０１−４、スロット間信号平均器１０１−５及び増幅みあい分乗算器１０１−６を有している。
【０１３１】
ｄＢ変換器１０８の入力端子は、増幅みあい分乗算器１０１−６の出力端子に接続されている。ｄＢ変換器３０２の入力端子は、増幅正規化器１０１−４の出力端子に接続されている。減算器３０３の入力端子は、ｄＢ変換器３０２の出力端子に接続されている。また、減算器３０３の入力端子は、適性レンジＡＤリファレンス発生器３０４の出力端子に接続されている。制御係数乗算器３０５の入力端子は、減算器３０３の出力端子に接続されている。Ｇ−ＶＣ変換器３０６の入力端子は、制御係数乗算器３０５の出力端子に接続されている。
【０１３２】
フィードフォーワード加算器３０７の入力端子は、Ｇ−ＶＣ変換器３０６の出力端子に接続されている。また、フィードフォーワード加算器３０７の入力端子は、誤差加算器１１３の出力端子に接続されている。フィードフォーワード加算器３０７の出力端子は、ゲイン算出器１０４及びＬ−Ｒ選択制御器１０５の入力端子に接続されている。フィードフォーワード加算器３０７の出力端子は、ＤＡ変換器１１７の入力端子に接続されている。
【０１３３】
ｄＢ変換器１０８は、増幅みあい分乗算器１０１−６からの正規化前信号をｄＢ変換する。増幅正規化器１０１−４からの正規化後信号は、ＡＧＣアンプ１０１−１の単独の増幅前の受信信号のパワーと相関を有する。ｄＢ変換器３０２は、増幅正規化器１０１−４からの正規化後信号をｄＢ変換する。減算器３０３は、適性レンジＡＤリファレンス発生器３０４からの適性レンジＡＤリファレンス信号からｄＢ変換器３０２の正規化前信号を減算してフィードフォーワード適正値差分ｄＢを生成する。
【０１３４】
制御係数乗算器３０５は、減算器３０３からのフィードフォーワード適正値差分ｄＢに制御係数Ｋ２を乗じてＧ−ＶＣ変換器３０６に与える。Ｇ−ＶＣ変換器３０６は、ＢをＡＧＣアンプ１０１−１、１０２−１を制御するための電圧値に制御係数乗算器３０５の出力信号を変化させてフィードフォーワード加算器３０７に与える。フィードフォーワード加算器３０７は、誤差加算器１１３からの出力信号にＧ−ＶＣ変換器３０６からの出力信号を加算する。フィードフォーワード加算器３０７の出力信号は、正規化用ゲイン分数算出器１０３に与えられ、増幅正規化器１０１−４、１０２−４のための増幅した分の割り戻す値が算出される。
【０１３５】
また、フィードフォーワード加算器３０７の出力信号は、ゲイン算出器１０４に与えられ、増分みあい分乗算器１０１−６、１０２−６のための増幅分の値が算出される。また、フィードフォーワード加算器３０７の出力信号は、ＤＡ変換器１１７に与えられる。ＤＡ変換器１１７は、フィードフォーワード加算器３０７の出力信号に基づいてＡＧＣアンプ１０１−１のための制御電圧が生成されて受信信号の増幅値が決定される。
【０１３６】
本発明の実施の形態１２によれば、ＡＧＣアンプ１０１−１の単独の増幅前の受信信号のパワーと相関を有する信号を用いて制御をするため、受信信号の強度変化に対する追従速度を増大することができる。
【０１３７】
【発明の効果】
以上説明したように、本発明によれば、第１の受信ブロック及び第２の受信ブロックの出力信号のうち強度が大きい方の出力信号に基づいて当該出力信号に対応する第１の受信ブロック又は第２の受信ブロックを用いて信号を受信するから、前段に複数の受信信号がある時に、それぞれの間の利得又は感度差がある場合に対応することができる。
【図面の簡単な説明】
【図１】本発明の実施の形態１に係る受信装置の構成を示すブロック図
【図２】本発明の実施の形態１に係る受信装置の一部の構成を示すブロック図
【図３】本発明の実施の形態２に係る受信装置の構成を示すブロック図
【図４】本発明の実施の形態３に係る受信装置の構成を示すブロック図
【図５】本発明の実施の形態４に係る受信装置の構成を示すブロック図
【図６】本発明の実施の形態５に係る受信装置の構成を示すブロック図
【図７】本発明の実施の形態６に係る受信装置の構成を示すブロック図
【図８】本発明の実施の形態７に係る受信装置の構成を示すブロック図
【図９】本発明の実施の形態８に係る受信装置の構成を示すブロック図
【図１０】本発明の実施の形態９に係る受信装置の構成を示すブロック図
【図１１】本発明の実施の形態１０に係る受信装置の構成を示すブロック図
【図１２】本発明の実施の形態１１に係る受信装置の構成を示すブロック図
【図１３】本発明の実施の形態１２に係る受信装置の構成を示すブロック図
【図１４】従来の受信装置の構成を示すブロック図
【符号の説明】
１００　受信装置
１０１　第１の受信ブロック
１０２　第２の受信ブロック
１０３　正規化用ゲイン分数算出器
１０４　ゲイン算出器
１０５　Ｌ−Ｒ選択制御器
１０６　後方保護段数ラッチ回路
１０７　Ｌ−Ｒ信号セレクタ
１０８　ｄＢ変換器
１０９　減算器
１１０　適性レンジＡＤリファレンス発生器
１１１　制御係数乗算器
１１２　Ｇ−ＶＣ変換器
１１３　誤差加算器
１１４　遅延バッファ
１１５　Ｌ−Ｒ間補正値生成回路
１１６　補正値加算器
１１７　ＤＡ変換器
１０１−１　ゲインコントロールアンプ（ＡＧＣアンプ）
１０１−２　受信パワー検出器
１０１−３　区間平均器
１０１−４　増幅正規化器
１０１−５　スロット間信号平均器
１０１−６　増幅みあい分乗算器
１０２−１　ＡＧＣアンプ
１０２−２　受信パワー検出器
１０２−３　区間平均器
１０２−４　増幅正規化器
１０２−５　スロット間信号平均器
１０２−６　増幅みあい分乗算器
３００　受信装置
３０１　Ｌ−Ｒ信号セレクタ
３０２　ｄＢ変換器
３０３　減算器
３０４　適性レンジＡＤリファレンス発生器
３０５　制御係数乗算器
３０６　Ｇ−ＶＣ変換器
３０７　フィードフォーワード加算器
４００　受信装置
４０１　クリッパ
５００　受信装置
５０１　閾値制御器
６００　受信装置
６０１　切替制御器
７００　受信装置
７０１　差分値制御器
８００　受信装置
８０１　切替閾値制御器
９００　受信装置
９０１　切替差分値制御器
１０００　受信装置
１００１　アンテナ選択固定要求ラッチ装置
１００２　アンテナ選択固定制御器
１１００　受信装置
１１０１　受信レベル判定器
１１０２　アンテナ選択制御器
１２００　受信装置
１２０１　アンテナ選択要求タイマ
１３００　受信装置
【図１】
2004007096.tif 000003
【図２】
2004007096.tif 000004
【図３】
2004007096.tif 000005
【図４】
2004007096.tif 000006
【図５】
2004007096.tif 000007
【図６】
2004007096.tif 000008
【図７】
2004007096.tif 000009
【図８】
2004007096.tif 000010
【図９】
2004007096.tif 000011
【図１０】
2004007096.tif 000012
【図１１】
2004007096.tif 000013
【図１２】
2004007096.tif 000014
【図１３】
2004007096.tif 000015
【図１４】
2004007096.tif 000016